(57)【要約】 【課題】  ワンタッチ操作で可動把手が突出するハンドル装置及び建具を提案すること。【解決手段】  ホルダーと、このホルダーの縦長開口を基準にして該ホルダーの収納部に内装されかつケース部分に出没自在に軸支された可動把手と、この可動把手の待機姿勢位置の時に可動把手を係止するようにケース部分に軸支された少なくとも１つの係止手段と、ホルダーの前板の開口から操作端が露呈するようにケース部分に水平動自在に設けられた押しボタン式操作部材とを備え、操作部材をプッシュすると、係止手段の係止片の係止が解除され、可動把手は付勢手段のバネ力により支軸を支点に使用姿勢位置まで傾倒回転する。【選択図】  図３
2006299692.tif 000002
【特許請求の範囲】
【請求項１】
ケース状ホルダーと、このホルダーの縦長開口を基準にして該ホルダーの収納部に内装され、かつ、ケース部分に出没自在に軸支された可動把手と、この可動把手の待機姿勢位置の時に可動把手を係止するようにケース部分に軸支された少なくとも１つの係止手段と、ホルダーの前板の開口から操作端が露呈するようにケース部分に水平動自在に設けられた押しボタン式操作部材とを備え、前記操作部材をプッシュすると、係止手段の係止片の係止が解除され、可動把手は付勢手段のバネ力により支軸を支点に使用姿勢位置まで傾倒回転することを特徴とするハンドル装置。
【請求項２】
請求項１に於いて、可動把手は、縦断面親指と人差し指を開いた格好の形状に形成され、前記親指側には、係止手段の係止部が係合可能な被係合部が形成され、一方、人差し指は引戸を戸体の先端面から引手利用可能な仮の位置まで引き出すためのグリップ部分であることを特徴とするハンドル装置。
【請求項３】
請求項１に於いて、係止手段は、可動把手を係止し得る係合爪部を有する係止片と、該係止片を常時係合方向へと付勢する係止バネを含むことを特徴とするハンドル装置。
【請求項４】
請求項１に於いて、係止手段は、一つの支軸に複数個設けられていることを特徴とするハンドル装置。
【請求項５】
請求項１乃至請求項４に於いて、これらの請求項のいずれかに記載のハンドル装置をそのまま含み、引戸の一壁側の引手は、該引戸が完全に開いている時、所定位置に並存する戸体により塞がれていることを特徴とする建具。
【請求項６】
ケース状ホルダーと、このホルダーの縦長開口を基準にして該ホルダーの収納部に内装され、かつ、ケース部分に水平方向に出没自在に設けられた可動把手と、この可動把手の待機姿勢位置の時に可動把手を係止するようにケース部分に設けられた少なくとも１つの係止手段と、ホルダーの前板の開口から操作端が露呈するようにケース部分に水平動自在に設けられた押しボタン式操作部材とを備え、前記操作部材をプッシュすると、係止手段の係止片の係止が解除され、可動把手は付勢手段のバネ力により突出した使用姿勢位置まで水平移動することを特徴とするハンドル装置。
【請求項７】
請求項６に於いて、可動把手のグリップ部分は、縦断面チャンネル形状に形成され、その一方の水平杆部分の内端部に係止手段の係止片と係脱可能な被係合部が形成されていることを特徴とするハンドル装置。
【請求項８】
請求項６に於いて、可動把手は、グリップ部分の上下の水平杆部分の内端部に直交状態に連設する支持杆部分を有し、該支持杆部分に付勢手段の一端部を支持するバネ支持部が設けられていることを特徴とするハンドル装置。
【請求項９】
請求項６に於いて、操作部材の内端部には、係止手段の係止片に形成した突起部分のカム面と摺接する傾斜状駆動面が形成されていることを特徴とするハンドル装置。
【請求項１０】
請求項６乃至請求項９に於いて、これらの請求項のいずれかに記載のハンドル装置をそのまま含み、引戸の一壁側の引手は、該引戸が完全に開いている時、所定位置に並存する戸体により塞がれていることを特徴とする建具。
【発明の詳細な説明】
【技術分野】
【０００１】
本発明は、例えば引戸の完全な開戸時、引戸の壁面の引手を塞ぐように所定位置に並存する戸体と備えた引戸式建具に適合するハンドル装置及び建具に関する。
【背景技術】
【０００２】
特許文献１には、特許文献２の問題点を解消するために、前後一対のシェル体どうしを接合して構成されるホルダーと、両シェル体の接合面の間に配置される把手および弾性体とを含み、把手はホルダーに設けた軸で揺動可能に軸支され、全体がホルダーの格納部内に収まる待機姿勢と、そのグリップが格納部から斜めに突出する使用姿勢とに変位でき、弾性体は待機姿勢と使用姿勢とのそれぞれにおいて把手と接当して、把手が軸まわりに揺動するのを規制するハンドル装置」が記載されている。
【０００３】
上記の従来技術は、引戸の木口にホルダーを介して設けられた把手の縦長状グリップの外壁面の一端部を指で押し込み（第１実施例）、又は把手の一端部に係止した指掛け部分に指をかけて外側に引くと（第２実施例）、把手が支軸まわりに傾倒回転するので、該把手を仮の引手として利用し、引戸を戸袋から引き出すことができる。
【０００４】
このハンドル装置は、もちろん、シェル体が凹所状の指掛け部（引手機能）を有することから、引戸を戸袋へ収納する際の引手として使用することも可能である。したがって、該ハンドル装置は、一つのハンドルユニットが、戸袋から引戸を引き出す把手機能と、開戸時に引戸を戸袋へ収納する引手機能の両方を有する優れ物である。
【０００５】
しかしながら、従来技術は、（ａ）引戸の壁面の凹所引手を塞ぐように所定位置に並存する戸体と備えた引戸式建具を前提とするものではない。（ｂ）そのために、引戸に対するハンドル装置の取り付け位置が通常の取り付け位置に限定される。（ｃ）また、特許文献１には、「例えば押しボタン式操作手段を操作して把手を引戸の木口から自動的に突出させる構成」が開示されていない。（ｄ）さらに、従来技術は、把手収納時、板ばね、樹脂ばね、線ばね等の弾性体のみで、把手の当接片を支持するものであることから、弾性体の耐久性に関しては改良すべき問題点があった。
【特許文献１】特開２００３−４１８１２号公報
【特許文献２】実公平６−４９７７６号公報
【発明の開示】
【発明が解決しようとする課題】
【０００６】
本発明の第１の目的は、引戸式建具用ハンドル装置に於いて、引戸の完全な開戸時、引戸の木口（戸枠に対する側端面）から可動把手を自動的に突出させ、該可動把手のグリップを持って引戸を引手の利用可能な位置まで引き出すことができること。例えば引戸式建具が戸体（例えば網戸）を備えている場合に於いて、引戸を戸体の側端面から引き出した後は、引戸本来の凹所引手等を利用して引戸を閉めることができることである。第２の目的は、引戸に対するハンドル装置の取り付け位置が通常の取り付け位置に限定されないことである。第３の目的は、把手を収納位置へ戻した時、把手を自動的に係止することができると共に、該係止手段の耐久性の向上を図ることである。第４の目的は、引戸を閉じた時（把手のグリップ部が戸枠の縦枠或いは戸柱に当たった時）、ホルダーに収納されている可動把手が、例えばチリ寸法に対応して複数個の係止片に選択的に、又は係止手段の係止力を高めるために同時にロックされ得ることである。
【課題を解決するための手段】
【０００７】
本発明のハンドル装置は、ケース状ホルダーと、このホルダーの縦長開口を基準にして該ホルダーの収納部に内装され、かつ、ケース部分に出没自在に軸支された可動把手と、この可動把手の待機姿勢位置の時に可動把手を係止するようにケース部分に軸支された少なくとも１つの係止手段と、ホルダーの前板の開口から操作端が露呈するようにケース部分に水平動自在に設けられた押しボタン式操作部材とを備え、前記操作部材をプッシュすると、係止手段の係止片の係止が解除され、可動把手は付勢手段のバネ力により支軸を支点に使用姿勢位置まで傾倒回転することを特徴とする。
【０００８】
また、本発明のハンドル装置は、ケース状ホルダーと、このホルダーの縦長開口を基準にして該ホルダーの収納部に内装され、かつ、ケース部分に水平方向に出没自在に設けられた可動把手と、この可動把手の待機姿勢位置の時に可動把手を係止するようにケース部分に設けられた少なくとも１つの係止手段と、ホルダーの前板の開口から操作端が露呈するようにケース部分に水平動自在に設けられた押しボタン式操作部材とを備え、前記操作部材をプッシュすると、係止手段の係止片の係止が解除され、可動把手は付勢手段のバネ力により突出した使用姿勢位置まで水平移動することを特徴とする。
【０００９】
さらに、本発明の建具は、前段のハンドル装置又は後段のハンドル装置の構成をそのまま含み、引戸の一壁側の引手は、該引戸が完全に開いている時、所定位置に並存する戸体により塞がれていることを特徴とする。
【発明の効果】
【００１０】
（１）引戸の完全な開戸時、係止手段解除用の押しボタン式操作部材をワンタッチ操作（単にプッシュ）すると、引戸の木口から可動把手が自動的に傾倒回転、又は水平動して突出する。したがって、可動把手のグリップを持って引戸を引手の利用可能な位置まで引き出すことができる。それ故に、引戸を戸体（例えば網戸）の側端面から引き出し後は、引戸本来の凹所引手等を利用して引戸を閉めることができる。また、引戸に対するハンドル装置の取り付け位置が通常の取り付け位置に限定されない。
（２）把手を収納位置へ戻した時、把手を自動的に係止することができる。
（３）請求項２に記載の発明は、可動把手を容易に握ることができると共に、ケース状ホルダーの縦方向の長さを短くすることができる。
（４）請求項３に記載の発明は、係止手段の耐久性の向上を図ることができる。
（５）請求項４に記載の発明は、ケース状ホルダーに収納されている可動把手は、例えばチリ寸法に対応して複数個の係止片に選択的に係止され、又は設計如何によっては、複数個の係止手段に同時にロックされ得る。
（６）その他ハンドル装置は、ユニット化されているので、簡単に引戸に取付けることができる。また、引戸本来の凹所引手と別個の場合には、取り付け位置が通常の取り付け位置に限定されない。さらに、ワンタッチ操作で可動把手が突出する。常態ではホルダーから突出しない。
【発明を実施するための最良の形態】
【００１１】
以下、図１乃至図９に示す本発明を実施するための最良の形態（第１実施例）により説明する。
【００１２】
（１）図１…発明の環境図
図１は、引戸式建具Ｘに本発明のハンドル装置Ｙを適用した平面からの環境図である。この環境図に於いて、１，１ａは左右の戸枠（縦枠、戸柱）、２は内側引戸、３は外側引戸、４は戸体（例えば網戸やシャッター）、５は外側引戸の室内７側の凹所引手、一方、６は外側引戸の室外８側の凹所引手、９は建具Ｘの開口部である。
【００１３】
したがって、本発明のハンドル装置Ｙ又は該ハンドル装置Ｙの構成をそのまま含む建具Ｘは、細部的な事項は別として、実施レベルでは、引戸の完全開戸時に、引戸、例えば互い違い引戸の場合には、外側引戸３の壁面内外の引手５，６を塞ぐように所定位置に戸体（例えば網戸）４や内側引戸２が並存する。
【００１４】
本発明（ハンドル装置Ｙ及び建具Ｘ）は、引戸の完全開戸時に、少なくとも一つの引戸に対して戸体（例えば内側又は外側に位置する網戸）４が、引戸の凹所引手（実施例では、外側引戸３の外側引手６）を塞ぐ。以下、図２乃至図８を参照にして本発明の第１実施例を説明するが、細部的な事項の符号や図面については省略する。
【００１５】
（２）図２の待機姿勢位置と図３の使用姿勢位置
まず、図２は、ハンドル装置Ｙの可動把手の待機姿勢位置、一方、図３は可動把手の使用姿勢位置を概略的に示している。また、図４は引戸の木口（戸枠に対する側端面）から見たハンドル装置Ｙの正面図である。その他図は、適当な概略断面説明図等である。
【００１６】
次に、図２乃至図９に於いて、本発明の建具Ｘの引戸用ハンドル装置Ｙは、基本的には、引戸３の木口３ａに内装状態に装着されるホルダー１２と、ホルダー１２内に組み付けられる可動把手１３および単数又は複数個の係止片４２を含む係止手段１４とで構成する。そして、ホルダー１２には、係止手段１４の係止状態を解除するための操作部材１５を設ける（新規事項）。
【００１７】
この基本的構成について、作用と共に付言すると、前記引戸３の木口３ａに縦長開口するケース状ホルダー１２を介して可動把手１３を収納し、また、前記ホルダー１２には、可動把手用の係止バネ４３及び係止片４２を含む係止手段１４を軸支すると共に、該係止手段１４用の押しボタン式操作部材１５をその操作端１５ａが木口に露呈（見える）するように設ける。
【００１８】
しかして、本発明の引戸用ハンドル装置Ｙは、建具Ｘが図１で示す一例を前提要件としている場合に於いて、同図で示すように、引戸３の外壁側の引手６は、該引戸３が完全に開いている時、所定位置に並存する戸体４により塞がれている。したがって、引戸３を戸体４の先端面（側端面）４ａから閉じる矢印Ａ方向へ引き出すのが容易でない。
【００１９】
そこで、図２で示すように、ホルダー１２に収納され、かつ、係止手段１４に係止されている可動把手１３を自動的に突出させるために、操作部材１５をプッシュする。
【００２０】
操作部材１５をプッシュすると、係止手段１４の係止片４２の係止が解除され、可動把手１３は単数又は複数の付勢手段１６のバネ力により、把手１３の支軸１７を支点に使用姿勢位置まで傾倒回転する（図３）。そこで、可動把手１３のグリップ部分がホルダー１２或いは木口３ａから突出したならば、グリップ部分３２を持って引戸３を引手５，６の利用可能な位置まで引き出す。
【００２１】
このように、引戸３を戸体（例えば網戸）４の側端面４ａから所要量引き出し後は、引戸３本来の凹所引手５（６）を利用して引戸３を閉めることができる。つまり、手を可動把手１３から引手５に取り替え、建具Ｘの開口部９を閉じることができる。
【００２２】
そして、例えば手を可動把手１３から引手５に替え可能な状態になった場合、手で可動把手１３のグリップ部分の先端側を押し込むと、可動把手１３は、付勢手段１６のバネ力に抗して支軸１７回りに揺動回転する。可動把手１３がホルダー１２の収納部側へと回転すると、その被係合部と係止手段１４の係止片４２の爪部４２ａとの係合関係により、可動把手１３は自動的に所定位置に係止される。なお、可動把手１３が戸枠の縦枠に当たった時も可動把手１３は自動的にホルダー１２に収納され得る。
【００２３】
ここでは、図２で示すように、可動把手１３が係止手段１４により自動係止された状態を「待機姿勢位置」とし、一方、図３で示すように、係止手段１４が操作手段１５の操作力を介して解除状態となり、その結果、可動把手１３が付勢手段１６のバネ力により支軸１７まわりに回転して単数又は複数のストッパー１８，１９に傾倒状態に受け止められた状態を「使用姿勢位置」とする。
【００２４】
（３）ホルダー１２
ホルダー１２は、上下に長いケース状枠体からなり、フロント板及び取付け板で構成された前板２１を有している。前板２１の上下端部のフランジ部分には、固着具用のねじ孔２２がそれぞれ形成されている。したがって、ホルダー１２の前板２１は引戸３の木口３ａに対する締め付け座の機能を有する。
【００２５】
しかして、図４を基準にすると、２３は前板２１に縦長に形成された把手用開口、２４は把手用開口２３よりも下方に位置する操作手段１５用開口である。操作手段１５用開口２４は、本実施例では、下端部のねじ孔２２と把手用開口２３の間の適宜部位に形成されている。
【００２６】
また、ホルダー１２は、前板２１を基準として引戸３の内部に内装されたケース部分２５を有している。ケース部分２５は、図５で示すように二分割型である。特に符号を付さないが、プラスチック成形品としての二分割型のケースは、複数個の固着具を介して一体に接合する。この接合により、ケース部分２５内には可動把手１３用の収納部２６が形成される。
【００２７】
ケース部分２５は、特許文献１とは相違し、引戸本体の凹部引手を有していないが、設計如何によっては、ケース部分２５の側壁に手掛凹部を形成することも可能である。本実施例のケース部分２５の内部の右側上部には、計６個の区画部分を形成する格子タイプの補強用リブ２７が形成されている。また、本実施例では、必須要件ではないが、可動把手１３が「待機姿勢位置」となった時に所定位置に受け止めるボタン形状のストッパー１９が前板２１寄りの中央部に設けられている（図２参照）。
【００２８】
さらに、本実施例のケース部分２５は、操作手段１５用開口２４を有する下部側に、前板２１の内面から底壁２５ａと対向する所定長さの水平隔壁２９を有している。この水平隔壁２９の上面は、付勢手段１６の一端部を支持するバネ端支持機能を有し、また、ケース部分２５の奥側の側壁２５ｂと対向する水平隔壁２９の端面は、係止手段１４の係止片４２で押し戻される操作部材１５を所定位置に受け止めるストッパー機能を有している。
なお、ケース部分２５には、固着具用の螺合部分や軸孔が適宜に形成されている。また、前板２１の把手用開口２３の下端縁１８は傾倒回転する可動把手１３を支持する第２ストッパーの機能を有している。
【００２９】
（４）可動把手１３
可動把手１３は、本実施例では、縦断面親指３１と人差し指３２を開いた格好の形状に形成されている。しかして、例えば図８で示すように、前記親指３１側には、係止手段１４の係止片４２の係止爪部４２ａが係合可能な被係合部３３が形成され、一方、人差し指３２は引戸３を戸体４の先端面４ａから引手５（６）が利用可能な仮の位置まで引き出すためのグリップ部分である。
【００３０】
また、可動把手１３の親指の関節部分に相当する部位には、支軸１７用の軸孔３４が形成されていると共に、該軸孔３４を含む周囲に付勢手段１６収納用の下向き凹所３５が形成されている。付勢手段１６の他端部は、この下向き凹所３５の内壁面に圧接する。可動把手１３の「待機姿勢位置」及び「使用姿勢位置」に関する作動態様については前述したとおりである。
【００３１】
（５）係止手段１４
係止手段１４は、ケース部分２５の奥側の側壁２５ｂと水平隔壁２９の端面との間に縦方向に配設されている。しかして、本実施例の係止手段１４は、基端部が支軸４１に軸支された係止片４２と、この係止片４２の自由端部に形成された係止爪部４２ａが可動把手１３の被係合部３３と係合するように付勢する係止バネ４３とを含む。前記支軸４１は、操作部材１５の内端面と側壁２５ｂとの間（ケース部分２５の下部）に位置している。
【００３２】
また、前記係止バネ４３は、その中央部が支軸４１に巻装され、一端部はケース部分２５の内壁面に、一方、他端部は係止片４２の内壁面に適宜に圧接している。また、係止片４２は、その中央部の壁面が操作部材１５の内端部に突出形成した指先部分に押圧されると、支軸４１を支点に可動把手１３の被係合部３３から離れる方向へ回転する。つまり、係止片４２は係止バネ４３のバネ力と関連して可動把手１３の被係合部３３に係脱自在である。
【００３３】
ところで、本発明の従属的要件であるが、本実施例の係止手段１４は、図７及び図９で示すように一つ支軸４１に複数個（例えば２個）設けている。これは、例えばホルダー１２に収納されている可動把手１３が、例えば５ｍｍ、３ｍｍなどのチリ寸法に対応して複数個の係止片４２に選択的に、又は係止力を高めるために同時にロックされ得ることを考慮したものである。図２の「待機姿勢位置」は、チリ寸法が３ｍｍの時に一つの係止片４２に係止され、一方、図９の「待機姿勢位置」は、チリ寸法が５ｍｍの時に他の係止片４２に係止されたことを意味している。その余の細部的事項の説明は割愛する。
【００３４】
（６）操作部材１５
ホルダー１２には、係止手段１４の係止状態を解除するための操作部材１５が設けられている。この操作部材１５は、ホルダー１２の開口２４或いは引戸３の木口３ａにその操作端（外端）１５ａが露呈するようにホルダー１２に水平状態に組み込まれている。操作部材１５の外形輪郭は、船形状或いは親指状である。
【００３５】
前述したように、船首に相当する、或いは指先部分に相当するその内端部１５ｂには、係止片４２の中央部の壁面に突き当たる突起部分となっている。突起状の内端部１５ｂの上部は、前述したように、水平隔壁２９の端面と当接可能である。
【００３６】
ところで、操作部材１５には水平案内長孔４５が形成され、該水平案内長孔４５には、前板２１寄りのケース部分２５の下部に横設したカイド棒４６が入り込んでいる。この第１実施例のガイド棒は、前板２１と平行である。
【実施例】
【００３７】
次に、図１０乃至図１５は、本発明の第２実施例を示す。この第２実施例は、第１実施例と主たる目的が同一であると共に、その構成も実質的に同一或いは均等である。
【００３８】
すなわち、ハンドル装置Ｙ１を構成するケース状ホルダー１２Ａ、このホルダー１２Ａに完全に収納され得る可動把手１３Ａ、図１０で示す「待機姿勢位置」で可動把手１３Ａを係止する係止手段１４Ａ、この係止手段１４Ａの係止を解除するための操作部材１５Ａをそれぞれ備えている点で、発明の主要部の構成部材は同一である。
【００３９】
以下、主に異なる事項を説明する。なお、同一の構成部分には同一の符号を付して重複する説明を省略する。また、発明の構成に限定する必要のない細部的事項は図示していない。
【００４０】
（あ）ホルダー１２Ａのケース部分２５の奥行き寸法が、第１実施例のホルダー１２のそれに比して短いこと。
【００４１】
（い）ホルダー１２Ａのケース部分２５の内部構造が若干異なること（格子型形状の補強リブが存在しない、水平方向に進退動する可動把手１３Ａに対応する構成と成っているなど）。
【００４２】
（う）可動把手１３Ａは、縦長開口等を有するケース状ホルダー１２Ａに対して水平方向に進退動自在に組み込まれていること。
【００４３】
（え）可動把手１３Ａは、図１０を基準にすると、縦断面逆向きコ字型形状（ここでは「縦断面チャンネル形状」という用語を使用する。）のグリップ部分３２Ａと、このグリップ部分３２Ａの上下の水平杆部分３１Ａの先端部に直交状態に連設する支持杆部分５１とで構成されていること。
【００４４】
（お）前記支持杆部分５１の上下部には、ホルダー１２Ａの前板２１Ａ側に可動把手１３Ａ用のストッパー部分１８Ａを有する上下一組の案内手段（例えば水平溝、水平棒等の水平カイド）４６Ａがそれぞれ形成され或いは固定的に配設されていること。
【００４５】
（か）また、前記支持杆部分５１の適宜箇所には、可動把手１３Ａをホルダー１２Ａの開口２３Ａ或いは引戸の木口から突出する方向へと常時付勢する付勢手段１６Ａの一端部を支持するバネ端支持部５２等が形成或いは設けられていること。したがって、前記付勢手段１６Ａは、ホルダー１２Ａ内に水平状態に配設され、一端部は可動把手１３Ａに圧接し、他端部はホルダー１２Ａの後壁２５ｂに圧接していること。
【００４６】
（き）さらに、可動把手１３Ａの一方の水平杆部分３１Ａ（この実施例では、上方の水平杆部分）の先端部の外側壁面には、係止手段１４Ａの角筒状係止片４２Ａの係止部４２ａと係脱可能な被係合部（浅い溝、浅い凹所など）３３Ａが形成されていること。
【００４７】
（く）したがって、前記係合爪部４２ａを有する係止片４２Ａ及び係止バネ４３Ａを含む係止手段１４Ａは、ホルダー１２Ａの上壁２５ｃ側にカイド部並びに支持部を介して上下動可能に組み込まれていること。
【００４８】
（け）また、前記係止片４２Ａは、該係止片４２Ａに垂直状態に組み込まれた係止バネ４３Ａのバネ力により、その下端部の係止部４２ａが可動把手１３Ａの被係合部３３Ａに係合し得るように常時付勢されていること。
【００４９】
（こ）また、前記係止片４２Ａは、その外壁に傾斜状のカム面を有する突起部分４４を有すること。
【００５０】
（さ）一方、係止片４２Ａ解錠用の操作部材１５Ａは、その縦段面の外形輪郭が「Ｚ型形状」に形成れ、ホルダー１２Ａの前板２１Ａの上部に形成した開口２４Ａに、その外端部１５ａが露呈していること。また、操作部材１５Ａの内端部１５ｂには、係止片４２Ａの突起部分４４のカム面と摺接する傾斜状の駆動面が形成されていること等である。
【００５１】
なお、この実施例に於いても、第１実施例と同様にチリ寸法を考慮して、係止片４２Ａを並列しても良い点は同様である。
【００５２】
上記構成に於いて、図１０で示す可動把手１３Ａの「待機姿勢位置」から、図１１で示す可動把手１３Ａの「使用姿勢位置」にするには、第１実施例と同様に、単に操作部材１５Ａの外端面をワンタッチ式にプッシュすれば良い。操作部材１５Ａをプッシュすると、係止手段１４Ａの係止が解除され、可動把手１３Ａは単数又は複数の付勢手段１６Ａのバネ力により、上下の水平ガイド棒４６Ａに案内されて使用姿勢位置まで突出する（図１１）。
【００５３】
そこで、可動把手１３Ａのグリップ部分３２Ａがホルダー１２Ａ或いは引戸の木口から突出したならば、グリップ部分３２Ａを持って引戸３を引手５，６の利用可能な位置まで引き出す。以下、第１実施例と同様である。
【００５４】
一方、可動把手１３Ａのグリップ部分３２Ａを押し込むと、係止手段１４Ａの係止片４２Ａは、係止バネ４３Ａに付勢され、かつ、図示しない支持部で所定位置に構えていることから、例えば対向部分に互いに短い傾斜状摺接面を有する可動把手１３Ａと係止片４２Ａは、良好な摺接関係にあるから、ホルダー１２Ａの奥へと後退する係止片４２Ａは、可動把手１３Ａの被係合部３３Ａの摺接面で一旦押し上げられた後、係止バネ４３Ａのバネ力により下降し、その下端部の係止部４２ａが可動把手１３Ａの被係合部３３Ａに係合する（図１０）。
【産業上の利用可能性】
【００５５】
本発明は、主に建具や錠前の業界で利用される。
【図面の簡単な説明】
【００５６】
図１乃至図９は本発明の最良の実施例を示す各説明図。図１０乃至図１５は本発明の第２実施例を示す各説明図。
【図１】本発明の環境図。
【図２】第１実施例の可動把手が「待機姿勢位置」の概略縦断面説明図。
【図３】図２から可動把手が「使用姿勢位置」になった概略縦断面説明図。
【図４】ハンドル装置Ｙの正面図。
【図５】図２の５−５線断面図。
【図６】図２の６−６線断面図。
【図７】図２の７−７線断面図。
【図８】可動把手の斜視図。
【図９】チリが５ｍｍの場合に於いて、可動把手が「待機姿勢位置」の概略縦断面説明図（図２はチリが３ｍｍの場合である）。
【図１０】第２実施例の可動把手が「待機姿勢位置」の概略縦断面説明図。
【図１１】図１０から可動把手が「使用姿勢位置」になった概略縦断面説明図。
【図１２】図４と同様のハンドル装置Ｙ１の正面図。
【図１３】図１０の１３−１３線断面図。
【図１４】図１０の１４−１４線断面図。
【図１５】操作手段と係止手段の関係を示す概略説明図。
【符号の説明】
【００５７】
Ｘ…建具（例えば引戸）、Ｙ，Ｙ１…ハンドル装置、1，１ａ…左右の戸枠、２…内側引戸、３…外側引戸、３ａ…木口、４…戸体、Ａ…矢印、５，６…凹所引手、７…室内、８…室外、９…建具Ｘの開口部、１２，１２Ａ…ホルダー、１３，１３Ａ…可動把手、１４，１４Ａ…係止手段、１５，１５Ａ…操作部材、１５ａ…操作端（外端）、１５ｂ…内端部、１６，１６Ａ…付勢手段、１７…把手１３の支軸、１８，１９…ストッパー、１９Ａ…ストッパー部分、２１，２１Ａ…前板、２３，２３Ａ…把手用開口、２４…操作手段用開口、２５…ケース部分、２５ａ…底壁、２５ｂ…側壁、２５ｃ…上壁、２６…収納部、２９…水平隔壁、３１…縦断面親指、３１Ａ…水平杆部分、３２，３２Ａ…グリップ部分、３３，３３Ａ…可動把手の被係合部、３５…下向き凹所、４１…支軸、４２，４２Ａ…係止片、４２ａ…爪部、４３，４３Ａ…係止バネ、４４…突起部分、４５…水平案内長孔、４６，４６Ａ…案内手段（カイド棒，水平ガイド）、５１…支持杆部分、５２…バネ支持部。
【図１】
2006299692.tif 000003
【図２】
2006299692.tif 000004
【図３】
2006299692.tif 000005
【図４】
2006299692.tif 000006
【図５】
2006299692.tif 000007
【図６】
2006299692.tif 000008
【図７】
2006299692.tif 000009
【図８】
2006299692.tif 000010
【図９】
2006299692.tif 000011
【図１０】
2006299692.tif 000012
【図１１】
2006299692.tif 000013
【図１２】
2006299692.tif 000014
【図１３】
2006299692.tif 000015
【図１４】
2006299692.tif 000016
【図１５】
2006299692.tif 000017